(57)【要約】（ａ）冷却された高速核子を得るステップと、（ｂ）前述の核子を標的に衝突させるステップと、（ｃ）それによって放出されたエネルギーを採取するステップとを含む、融合チャンバーにおいて核融合を生じるための方法。【選択図】図６
2009519434.tif 000002
【特許請求の範囲】
【請求項１】
（ａ）冷却された高速核子を得るステップと、
（ｂ）前述の核子を標的に衝突させるステップと、
（ｃ）それによって放出されたエネルギーを採取するステップとを含む、融合チャンバーにおいて核融合を生じるための方法。
【請求項２】
高速核子が、
（ｉ）高速核子を冷却し、（ｉｉ）加速手段を用いて前記高速核子を衝撃チャンバーに向って加速させることによって得られることを特徴とする、請求項１に記載の方法。
【請求項３】
前記冷却された高速核子が、（ｉ）核子の供給源を冷却し、（ｉｉ）加速手段を用いて核子を衝撃チャンバーに向って加速させることによって得られることを特徴とする、請求項１に記載の方法。
【請求項４】
前記冷却された高速核子が、高速核子を形成し、次に形成された高速核子を冷却することによって得られることを特徴とする、請求項１に記載の方法。
【請求項５】
標的を冷却することを特徴とする請求項１に記載の方法。
【請求項６】
前記冷却とは０Ｋ近くの温度までの冷却であることを特徴とする請求項１に記載の方法。
【請求項７】
前記冷却とは４Ｋ未満の温度までの冷却であることを特徴とする請求項１に記載の方法。
【請求項８】
前記冷却とは４０Ｋ未満の温度までの冷却であることを特徴とする請求項１に記載の方法。
【請求項９】
前記冷却とは１００Ｋ未満の温度までの冷却であることを特徴とする請求項１に記載の方法。
【請求項１０】
前記冷却とは２７３Ｋ未満の温度までの冷却であることを特徴とする請求項１に記載の方法。
【請求項１１】
前記供給源が固体、液体、気体、プラズマ、イオン、同位体、および放射性物質などから選択されることを特徴とする、請求項１に記載の方法。
【請求項１２】
前記荷電粒子が陰イオン、陽イオン、アルファ粒子、ベータ粒子、放射性種などから選択されることを特徴とする、請求項１に記載の方法。
【請求項１３】
前記加速手段が電磁場を備えることを特徴とする、請求項１に記載の方法。
【請求項１４】
前記加速手段が前記粒子を加速して加速度ゼロにすることを特徴とする、請求項１に記載の方法。
【請求項１５】
前記標的が、加速された核子、イオン、同位体、気体、プラズマ、固体、および液体から選択されることを特徴とする、請求項１に記載の方法。
【請求項１６】
熱交換器を用いての前記採取であることを特徴とする、請求項１に記載の方法。
【請求項１７】
前記衝撃チャンバーが低真空チャンバーであることを特徴とする、請求項１に記載の方法。
【請求項１８】
前記衝撃チャンバーが高真空チャンバーであることを特徴とする、請求項１に記載の方法。
【請求項１９】
前記衝撃チャンバーが様々な真空状態の真空チャンバーであることを特徴とする、請求項１に記載の方法。
【請求項２０】
放出された前記エネルギーが、
（ｉ）核子の生成速度、
（ｉｉ）電磁加速手段による核子の加速、
（ｉｉｉ）加工温度、
（ｉｖ）吸収、
（ｖ）温度、および
（ｖｉ）入手可能な標的数の１つ以上を制御することによって扱われることを特徴とする、請求項１に記載の方法。
【請求項２１】
衝撃粒子が異なるスピンを有することを特徴とする、請求項１に記載の方法。
【請求項２２】
非衝撃粒子を前記融合チャンバーに向け直し得ることを特徴とする請求項１に記載の方法。
【請求項２３】
衝撃の確率が電場、磁場、および電磁場などから選択される場によって増加することを特徴とする請求項１に記載の方法。
【請求項２４】
前記標的が、衝撃およびその結果である崩壊の結果として不安定になり、それによってエネルギーが放出される粒子であることを特徴とする請求項１に記載の方法。
【発明の詳細な説明】
【技術分野】
【０００１】
本発明は、常温核融合の方法およびシステムを対象としている。
【背景技術】
【０００２】
説明しにくい様々な現象について話すとき、科学者が運動に基づく科学モデルを作成することはよくある。「運動」モデルによって説明される現象は、亜原子的システムからガスシステム、そして宇宙の構造まで、あらゆる大きさの物理システムに存在する。
【０００３】
宇宙レベルの様々な問題について、このようにモデル化されてきた。例えば、「引力の重力下で宇宙がつぶれることはないという事実をどのように説明するか？」この問題に対する回答は、もともとビッグバンとともに生まれたものとして通常は運動のせいにされる、あるいは物質の特性が原因とされる。
【０００４】
分子レベルの質問であれば、「気体の挙動はどのように説明するのか」や、「圧と容積と温度の関係は？」などがある。やはり、運動は気体を構成する分子によって生じ、運動は気体中の分子間の衝突を引き起こす。
【０００５】
亜原子レベルでは、「負に帯電した電子が正に帯電した核に変わることはないという事実をどのように説明するか」等の質問が思い浮かぶ。やはり、運動は核を取り巻く電子によって生じる。
【０００６】
本明細書における後述のシステムおよび工程の発明者は、運動に替わる説明を考案した（アインシュタインの宇宙定数の方式で）。提案された回答は、以下の短い文章に要約される。「明らかに、物質の成分間に存在する力のなかには斥力も存在する」
【０００７】
運動を持ち出すことなく様々な科学現象を説明し得る新しい物理モデルをこれから提示する。本モデルは、平易な方法で他のあらゆる自然現象も説明し、未知の現象も予測し得る。
【０００８】
「天空」環境の実体
【０００９】
「天空環境」と呼ばれる世界、すなわちＤｒ  Ｄａｖｉｄ  Ｓｉｎｇｅｒが提案する名称を用いた２つの実体、
Ｙｅｈｏ
Ｖａで構築された世界があると想定する。
【００１０】
これら２つの実体同士をまとめて、１つの包括的なＹｅｈｏ‐Ｖａを作り上げ得る。
【００１１】
この２つの実体の相反性は、以下の通りである。
２つのＹｅｈｏの間には、いずれもＦＹＹと表記される相互斥力がある。
２つのＶａの間には、いずれもＦＶＶと表記される相互重力がある。
ＹｅｈｏとＶａの間には、ＦＹＶと表記される相互引力がある。
【００１２】
これらの相互作用力の意義は、とりわけ、
Ｖａは、ＶａとＹｅｈｏのどちらにも引き寄せられる。したがって、Ｖａに接続されるＹｅｈｏをもたないＶａを見つける機会は少ない。
ＹｅｈｏはＶａに引き寄せられるが、Ｙｅｈｏによって反発される。したがって、Ｙｅｈｏが高濃度であれば必ずさらに反発するＹｅｈｏもある。
ＹｅｈｏとＶａは互いに引き寄せあう。この２つの実体間で作用する力の特性および対称性原理から、この２つを運ぶ粒子は同心球形を有すると想定するのが妥当である。２つのＶａの間ではいずれも引力が作用し、２つのＹｅｈｏの間ではいずれも斥力が作用する。したがって、図１に示される通り、Ｖａは粒子の中心部にあり、Ｙｅｈｏはこれを被覆する（取り囲む）。
この実体が両方とも存在する粒子にＹｅｈｏが近づくと、Ｙｅｈｏは中心部のＶａに引き寄せられ、これを取り囲むＹｅｈｏによって反発される。引力が斥力より強いとき、近づくＹｅｈｏは被覆内のＹｅｈｏに混じる（図２参照）。
【００１３】
合体工程が続くと、近づくすべてのＹｅｈｏに作用する斥力が増加し、特定の段階でさらに近づくすべてのＹｅｈｏに作用する斥力が引力に打ち勝ち、吸収を防ぐ（図３）。
【００１４】
天空環境で働く引力／斥力の強さが、ＹｅｈｏおよびＶａの量に依存することは明らかである。
【００１５】
われわれはここでこれらの力の特性を分析し、これらの力を通して自然界で何が起きているかについて、亜原子レベルから開始して宇宙レベルまでまとめて説明する。読者にはこの背景セクションの終わりまでに、これこそほかでもない、われわれが住む世界のことであると認識していただきたい。
【００１６】
自然界での出来事から、以下のことが分かる。
１．物質の質量が生成されるが、抑制のきかない方法で互いにつぶし合うことのないゾーンがある。
２．原子の核と電子との間のボイド（空洞）、気体粒子間のボイド、天体間の空間等のボイドが生成されるゾーンがある。
３．持続的かつ抑制のきかない崩壊を証明する出来事は存在しない。
４．物体間の距離が増大するとき、物体間に働く相互作用力の強さが減少する。
【００１７】
上記から、天空環境（おそらくわれわれの世界でも）で働く引力／斥力の強さも実体間の距離に依存していること、そして、この依存性が実体間の距離「ｒ」の力「ｎ」の逆比であると推論できる。
【００１８】
力の種類によって当然指数が異なることは明らかである。なぜなら、指数が同じであれば、距離が変化したときに合力の方向が変化しないことになり、自然界で起こることと絶対的に矛盾する。
【００１９】
われわれは、次のように要約し、結論付ける。
ＹｅｈｏとＹｅｈｏの間の斥力の強さはＹｅｈｏの質量の積に正比例し、Ｙｅｈｏ間の距離「ｒ」と力ｎ１の逆比となる。
【００２０】
【数１】
2009519434.tif 000003
【００２１】
【数２】
2009519434.tif 000004
【００２２】
ＶａとＶａの間の引力の強さはＶａの質量の積に正比例し、Ｖａ間の距離「ｒ」と力ｎ２の逆比となる。
【００２３】
【数３】
2009519434.tif 000005
【００２４】
【数４】
2009519434.tif 000006
【００２５】
ＹｅｈｏとＶａの間の引力の強さはＹｅｈｏとＶａの質量の積に正比例し、ＹｅｈｏとＶａの間の距離「ｒ」と力ｎ３の逆比となる。
【００２６】
【数５】
2009519434.tif 000007
【００２７】
【数６】
2009519434.tif 000008
【００２８】
これら３種類の力の距離に関する変更形態について検討する。
【００２９】
これらの力の距離「ｒ」への逆依存性によって、距離が増大する際に各力の強さが減少するようになる。力の強さが減少する速度は、距離「ｒ」の力の指数に依存する。指数が大きくなるほど、力の強さが変化する速度が速くなる。言い換えれば、高指数の力は短距離でより多くの影響力をもち、低指数の力は超長距離で有効な影響力をもつ。
【００３０】
距離「ｒ」の指数ｎ１、ｎ２、ｎ３の間の関係を示し得る主張は、以下の通りである。
【００３１】
２つの粒子間の距離「ｒ」がさほど大きくない自然界では、多くの場合、粒子間の合力は引力である。天空環境では、ｎ１は斥力「ｒ」の指数であり、ｎ２およびｎ３は引力「ｒ」の指数である。このことから、われわれは以下のように推論する。
【００３２】
【数７】
2009519434.tif 000009
【００３３】
【数８】
2009519434.tif 000010
【００３４】
電子や陽子のような基本粒子に関して、われわれは４つの基本的事実を知っている。
これらの粒子のサイズは極めて小さい。
これらの粒子を特徴付けるパラメータは、互いに異なっている。
事実上、どのような物質にもみられる。
これらの粒子を切り離すには、莫大な力が必要になる。
【００３５】
これらの事実およびわれわれの世界では無限に集積することがないという事実から、これらの各粒子のなかにあるＹｅｈｏとＶａの間には極めて強力な結合の存在が必要とされる。これは、粒子間に存在する力の種類を決定付ける、式中の距離「ｒ」の指数が大きいときに当てはまるため、
【００３６】
【数９】
2009519434.tif 000011
となる可能性は極めて低い。
【００３７】
上記の考察を要約すると、
【００３８】
【数１０】
2009519434.tif 000012
となる可能性が高い。
【００３９】
ＶａおよびＹｅｈｏの任意の組成物について、分離「ｒ」の関数として、上述の力と合力ΣＦのグラフを下に示す（図４）。
【００４０】
これらの力の距離への依存性から、われわれは、ＹｅｈｏおよびＶａの任意の組成物について、以下が当てはまると推論できる。距離「ｒ」が増大すると、力の強さはいずれも減少するが、斥力ＦＹＹの速度の変化は引力ＦＶＶおよびＦＹＶの速度の変化よりも小さくなる。ｒｅｑ（図４参照）と表記される距離においては、これら３種類の力の合力はゼロである。
【００４１】
【数１１】
2009519434.tif 000013
【００４２】
距離「ｒ」が要求条件より小さいとき、合力は引力であり、
【００４３】
【数１２】
2009519434.tif 000014
2009519434.tif 000015
距離「ｒ」が要求条件より大きいときは、合力は斥力である。
【００４４】
【数１３】
2009519434.tif 000016
2009519434.tif 000017
【００４５】
この結果から、特に、宇宙構造のなかで宇宙が巨大な空っぽの広がりのなかにある様々な濃度の質量から構成される理由が説明され得る。宇宙体のなかで大きな距離のときに斥力が働いているという事実は、実際、アルバート・アインシュタインが導入した宇宙定数に相当する。言い換えれば、大きな距離（アインシュタインの宇宙定数）のときに働く斥力を探すことは、アインシュタインの人生ではそれほど大きな失敗ではないが、宇宙がつぶれそうにないという宇宙観察結果を説明する上では必要不可欠な手続きである。本明細書でその説明をすることは、現在普及している膨張宇宙などの説明よりもずっと平易である。青天の外に広がりが生成される。生成された広がりのなかで質量が生成される。天空環境において得られる説明は、宇宙が今日までなぜつぶれなかったか、そして恐らく今後もつぶれないのはなぜかを説明するために広範に用いられる「無限」にとって好ましい。「無限」を用いれば実質的には何でも証明できるが、何も説明できないことに留意する。
【００４６】
距離が無限まで増大すると、合力の強さがゼロに近づくことに留意することが重要である。
【００４７】
Ｙｅｈｏの場とＶａの場
【００４８】
天空環境において様々な実体間に働く力は、遠くから働く。言い換えれば、これらの力が実体に働きかけるには、必ずしも互いに接触する必要がない。認められている通り、すべてのＹｅｈｏは、周囲空間にＹｅｈｏの場を生成する。Ｙｅｈｏの場のすべての点は、２つの成分を特徴とする。
成分ＥｙはＹｅｈｏから外側に向って方向性をもち、その強さはＹｅｈｏからの距離の関数として、以下の式に基づいて変化する。
【００４９】
【数１４】
2009519434.tif 000018
【００５０】
本成分は、場にあるすべてのＹｅｈｏに影響を及ぼす。
【００５１】
成分ＢｙはＹｅｈｏに向う方向性をもち、その強さはＹｅｈｏからの距離の関数として、以下の式に基づいて変化する。
【００５２】
【数１５】
2009519434.tif 000019
【００５３】
本成分は、場にあるすべてのＶａに影響を及ぼす。
【００５４】
ＹｅｈｏとＶａの両方からなる粒子がＹｅｈｏの場にみられるときは、その粒子は場のどちらの成分からも影響を受ける。
【００５５】
すべてのＶａは、周囲空間にＶａの場を生成する。この場にあるすべての点も、２つの成分を特徴とする。
【００５６】
成分ＥｖはＶａに向う方向性をもち、その強さはＶａからの距離の関数として、以下の式に基づいて変化する。
【００５７】
【数１６】
2009519434.tif 000020
【００５８】
本成分は、場にあるすべてのＶａに影響を及ぼす。
【００５９】
成分ＢｖはＶａに向う方向性をもち、その強さはＶａからの距離の関数として、以下の式に基づいて変化する。
【００６０】
【数１７】
2009519434.tif 000021
【００６１】
本成分は、場にあるすべてのＹｅｈｏに影響を及ぼす。
【００６２】
ＹｅｈｏとＶａの両方からなる粒子がＶａの場にみられるときは、その粒子は場のどちらの成分からも影響を受ける。
【００６３】
従来の場（例えば重力場）が単一成分の場であるのとは異なり、ＹｅｈｏとＶａの場は二重成分の場である。
【００６４】
天空環境における物質の構造
【００６５】
前述の通り、２つの実体ＹｅｈｏおよびＶａを運ぶ粒子の構造は、いずれもＹｅｈｏとＶａの間の結合が最も強い。このようなタイプの構造は、同心球構造である（図１）。以下でこの構造を詳細に分析する。分析は、前述の２つの事実に基づく。
中心部のＶａと、それを取り囲むＹｅｈｏの間の引力は、ｒｎ３と逆比である。
２つのＹｅｈｏ間には、いずれもｒｎ１と逆比の反発力がある。
この２つの事実から、
Ｖａを包むＹｅｈｏ層の「密度」は、中心部からの距離が増大するに従い減少する
Ｙｅｈｏの粒子の体積は、Ｖａよりも比較的大きい（図１）と推論できる。
【００６６】
この構造によって、そのような２つの粒子同士が接近するときに何が起こるのかについても説明できるようになる。粒子間の距離が直径に対して非常に大きければ、粒子を点粒子として扱うことができる。この場合、全Ｙｅｈｏおよび全Ｖａが中心部に集束しているかのように力を計算することができる。
【００６７】
粒子の中心と中心の間の距離が半径の大きさの範囲であるときは、上述の構造について考慮しなければならない。つまり、粒子間の１つの距離について語ることはもはや不可能であり、２つのＶａ間の距離や外層である２つのＹｅｈｏ間の距離のように、様々な実体間の様々な距離について考慮すべきである。これらの層が互いに触れ合うほど接近するときは、２つのＶａ間の距離は依然としてかなり大きく、結果として生じる構造は、引力と斥力が均衡するとき、すなわち合力がゼロのときは、平衡状態にある。
【００６８】
平衡状態にある２つの粒子を分離するには、外部の力を適用する必要がある（平衡状態にある結合した磁石を分離するのに適用する必要がある力と同程度）。必要とされる力の強さは、当然ながらＹｅｈｏおよびＶａのそれぞれの量によって異なる（結合した磁石を分離するのに必要とされる力が磁石の力によって異なるのと同じ）。分離する力の強さは、結合した２つの粒子間の結合強度または代替として運動の自由の指標となる。
【００６９】
天空環境では、物質の外観は３相で示されると考えられており、特定の条件下で１つの相から別の相へ移ることができる。３相とは、固相、液相、および気相である。
【００７０】
これら３相における物質の構造について以下で説明する。
【００７１】
固相―物質の粒子を分離するのに必要とされる力の強さが大きい相。言い換えれば、固相の粒子間には実質的に運動の自由がない。
【００７２】
液相―物質の粒子を分離するのに必要とされる力の強さが小さい相。言い換えれば、液相の粒子は運動の自由を享受している。そのような自由度は、液相に働く外部の力が物質の形状を極めて容易に変化させ得るような程度である。
【００７３】
気相―全体として前述の２相とは異なる相。この相ではＹｅｈｏの「量」が大きく、半径もＶａと比較して大きい。結果的に、ほとんど接触しそうな状態にある各粒子に作用する合力は斥力であり、その影響下で粒子は互いに押しのけ合う。
【００７４】
この分離工程は、気体に結びつく特徴的ないくつかの現象について極めて簡潔に説明するのに役立つ。
特定の方向を向いている開口部から空の容器へ挿入された気体は、入った方向によらず、ほぼ直後に容器を満たす。
２．異なる開口部および異なる方向から空の容器へ挿入された２種類のガスは、実質的には直後に均一に混ざり合う。
３．容器内の気体は、容器の壁に圧をかける。この圧の供給源は、互いに離れようとしている気体粒子間と、Ｙｅｈｏ成分とＶａ成分から作られてもいる容器の壁間の相互斥力にある。
４．図５に記載の通り、管が互いに垂直な「折れた」セグメントで作られている場合、２つの容器ＡおよびＢ（容器Ａには気体が入っており、容器Ｂは真空状態）の間の壁に取り付けられた管を気体が速やかに通過するときの流出速度は実質的には変化しない。
【００７５】
示される通り、現在の説明があやふやな自然界におけるいくつかの現象も、天空環境下で働く力によって極めて合理的かつ平易に説明される。
【００７６】
分子と化学反応
【００７７】
天空環境では、原子は互いに結合して分子を形成する。さらに、異なる物質の原子と分子の間に化学的相互作用が生じ得る。
【００７８】
Ｙｅｈｏケーシングに包まれた２つ以上のＶａが結合する際に分子が生成され、１個の合体ケーシングが形成される（図６）。
【００７９】
合体Ｙｅｈｏの量が大きいほど、分子の安定性は高くなる。
【００８０】
化学反応が生じる際に、過剰なＹｅｈｏが放出または吸収され得る。化学結合の「強度」の程度は、Ｙｅｈｏ成分とＶａ成分の間の相互作用力によって異なる。また、この場合、Ｙｅｈｏの合体ケーシングが作成されるため、合体Ｙｅｈｏの量が多いほど、化学結合は強くなる。
【００８１】
原子核の構造が、少なくとも部分的に同一であることは不可能ではない。
【００８２】
天空環境における物質の様々な特徴
【００８３】
温度
【００８４】
温度は、物質のＹｅｈｏを吸収または放出する能力の指標である。この能力は、当然ながらＹｅｈｏとＶａの間の結合の強さによって異なる。この結合が強いほど、Ｙｅｈｏを放出する能力は小さくなる。
【００８５】
加熱時の物体の膨張
【００８６】
加熱時に、物質中のＶａはすでにこれを取り囲むＹｅｈｏに加わる余分なＹｅｈｏを吸収する。結果として、隣接する２つのＹｅｈｏ間の斥力はいずれも、新しい平衡状態が生じ、隣接する２つのＶａ間の距離がいずれも増大するまで増加する。言い換えれば、物質は膨張する。さらに、隣接する２つのＶａ間の距離が増大した結果として粒子の分離に必要とされる力が減少し、物質の粒子の運動の自由が増大する。
【００８７】
相の変化
【００８８】
固相へ追加されるＹｅｈｏが十分大きいとき、粒子を分離するのに必要とされる力は、粒子の運動の自由が増大し、それに従って物質の相が変化する程度まで減少する。この説明は、液相の蒸発工程にとっても適切である。
【００８９】
弾性
【００９０】
固相への外部の伸縮力の適用が増加すると、粒子間の距離が増大し、物体が長くなる。この力が粒子を互いに分離するのに必要とされる力ほど大きくなければ、物体は外部の力が取り除かれた直後に元の状態に戻る。しかし、外部の力が分離力を上回るときは、物体が破れる程度まで粒子間の距離が増大する。異なる物質の異なる弾性は、異なる物質の結合力の様々な程度によって説明される。
【００９１】
熱容量
【００９２】
物体の温度を１℃変えるのに必要とされるＹｅｈｏの量。この量は、物体内のＹｅｈｏとＶａの量の比率に依存する。熱容量は、物体がＹｅｈｏを吸収・放出する能力の指標の役割も果たす。
【００９３】
示される通り、天界におけるこれらの概念は、われわれの世界で用いられる概念とほぼ同じである。
【００９４】
波形の実体としてのＹｅｈｏ
【００９５】
Ｙｅｈｏは、天空環境において２つの形状で現れ得る。
絶対的に独立する実体
Ｖａケーシング
【００９６】
われわれの世界で起こる様々な現象について説明するため次のように仮定しなければならないであろう。Ｙｅｈｏ実体は、上述のＹｅｈｏの場と関連のある波形の挙動も有する。
【００９７】
伝播（ボイドにおいても）するＹｅｈｏ波は、波の全ての特徴（周波数、波長、伝播速度）を有する。波に典型的な全ての現象が、これらの波に起こる（干渉、回折、偏波、定在波等）。
【００９８】
ＹｅｈｏがＶａの核を取り囲むとき、それは波形の特性が取り囲む原因と考えられる。これまで外面に近づくにつれてＹｅｈｏケーシングの「密度」が減少すると述べていた場合、今度はこのケーシングは連続していないが、Ｙｅｈｏ定在波を生成できる半径でシェルの形状で作られると仮定し得る。
【００９９】
上述の通り、全てのＶａはＹｅｈｏに取り囲まれているため、Ｙｅｈｏに「包まれる」Ｖａの動きも干渉や回折のような波形の現象を伴うことはほぼ明白であり、これらの現象は、通り道に接近した時点の、とりわけＹｅｈｏによって取り囲まれたＶａの濃度に影響される（通過する隙間の端部または結晶間の経路）。
【０１００】
Ｙｅｈｏ波がＹｅｈｏに取り囲まれたＶａの物体から遠くで動くときは、Ｙｅｈｏの「密度」に基づき一定の速度で直線的に動く。しかし、Ｙｅｈｏ波が高濃度のＶａが存在する物体の近くで動くときは、その物体の影響を受け、運動の方向と、おそらく波の周波数も変化する。この周波数の変化は、とりわけよく知られている赤方偏移現象により明らかになるが、この現象の原因が天体の運動のみというわけではないことはよく知られている。
【０１０１】
天空環境における原子および核
【０１０２】
原子の構造
【０１０３】
原子は核で構成され、核の周囲には電子が存在する。核と電子は、どちらもＹｅｈｏに取り囲まれたＶａで作られている。核のＹｅｈｏと電子のＹｅｈｏの間に斥力が存在し、Ｖａ間の引力およびＶａとＹｅｈｏの間の引力を釣り合わせているため、電子が核をつぶすことはない。
【０１０４】
光電効果
【０１０５】
物質と衝突する自由Ｙｅｈｏは、物質の原子であるＹｅｈｏに加わる。結果として原子の成分間の斥力は、一部の電子を物質から押し出す。
【０１０６】
Ｙｅｈｏの周波数が物質の周波数閾値を上回るときに、電子は押し出される。この周波数閾値未満では、Ｙｅｈｏは、とりわけ温度を上昇させる原子のＹｅｈｏ成分に加わる。この周波数閾値を上回る場合、Ｙｅｈｏが加わることで斥力が上昇し、結果として電子を押し出す工程が生じ得る。
【０１０７】
コンプトン効果
【０１０８】
Ｙｅｈｏに取り囲まれたＶａからなる電子に近づく自由Ｙｅｈｏは、特定の条件下でその一部を電子に渡し、Ｙｅｈｏ間の相互斥力により電子および自由Ｙｅｈｏは運動の速度および方向を変化させ得る。
【０１０９】
放射性崩壊
【０１１０】
放射能に関する現象は、核の不安定性の結果である（同位体において現象が生じる）。この不安定性の原因は、核の成分であるＹｅｈｏとＶａの不安定な構造にある。崩壊について説明するにあたって、崩壊の統計的特性と、半減期という用語を使用する必要性から、おそらくさらなる事実、すなわち同一の同位体の異なる核は互いにやや異なるＹｅｈｏおよびＶａの構造を有することが裏付けられる。このような構造は、恐らく動的であり、恐らく隣接する核の崩壊により影響される。結果として、異なる核が不安定になるのはそれぞれ異なる時間であるため、全ての核が同時に崩壊することはない。
【０１１１】
天空環境における宇宙
【０１１２】
宇宙にある物体間の膨大な距離における支配的な力は、これらの物体のＶａを取り囲むＹｅｈｏ間の斥力である。この力は、宇宙自らつぶれることはないという何よりも重要な事実を説明している。しかし、この事実は次のような別の現象も説明する。
【０１１３】
太陽風
【０１１４】
太陽のＹｅｈｏおよびＶａと太陽の近傍にみられる粒子のＹｅｈｏおよびＶａの間には、力が働いている。特定の量のＹｅｈｏから開始して、これらの粒子に作用する合力は斥力であり、太陽から外側の方向に動く。
【０１１５】
太陽の傍を通る彗星の尾の流れ
【０１１６】
彗星の尾の粒子は、Ｙｅｈｏ間の斥力によって互いに遠く離れている。これらの力は太陽を取り囲む大量のＹｅｈｏの斥力が加わって、太陽から外側の方向へ彗星の尾を流れさせる。
【０１１７】
ブラックホール
【０１１８】
ブラックホールとは、強大な力によって近くを通過する物体を引き寄せる超高濃度のＶａが存在する天体である。ブラックホールのＶａも、当然ながらＹｅｈｏが取り囲んでいる。ブラックホールのなかの超高濃度のＶａとＹｅｈｏは、加わろうとしている物体のＹｅｈｏをＶａから引き剥がす可能性がある。結果として物体のＶａはブラックホールのＶａに加わり、物体のＹｅｈｏはブラックホールのＹｅｈｏケーシングに混じるおよび／またはブラックホールのＹｅｈｏケーシングから拒絶される。Ｙｅｈｏによる拒絶は、ブラックホールから放出される放射線を説明し得る。
【０１１９】
ブラックホールから遠く離れた物体に作用する合力が均衡している（ゼロ）または斥力に変化もするという状況が予想される。これは、なぜ全宇宙がブラックホールをつぶさないか、なぜブラックホールの周囲で物体が発見されるかを説明し得る。
【０１２０】
電気および磁気
【０１２１】
天空環境では、３種類の力が働く。そのうちの２種類は引力であり、１種類は斥力である。例えば電子の透過によるＹｅｈｏおよびＶａの量の変化は、間に平衡状態が存在する物体等の「中性」体を互いに引き寄せる物体または反発する物体に変え得る。さらに電子が比較的大きなＹｅｈｏに取り囲まれた比較的小さなＶａで構成されると仮定した場合、自由電子に作用する合力は斥力であり、その結果が電流等の運動によって明らかになり得るという状況が予想される。
【０１２２】
Ｙｅｈｏが取り囲むＶａ粒子の動きは引力と斥力の間の比率を変え得るものであり、その場合、現在磁力と呼ばれる力の生成を説明し得る。
【０１２３】
天空理論の予測
【０１２４】
あらゆる新理論と同様、この理論も既知の自然現象を説明するだけでなく、未知の現象も説明する必要がある。天空環境で起こると考えられるいくつかの現象を以下に挙げる。
【０１２５】
２つの物体間に作用する重力の温度への依存性。
【０１２６】
キャヴェンディシュの実験（接近する２つの物体間に働く重力の強さを測定）を実施すると、重力が引き寄せられる物体の温度にも依存することが分かる。
【０１２７】
太陽風
【０１２８】
Ｙｅｈｏによって取り囲まれたＶａ粒子が空間にみられる。太陽がそれらの粒子にかける合力が、粒子を太陽に近づけさせる。運動時に粒子が太陽からＹｅｈｏを吸収するため、これらの粒子に作用する斥力が次第に増大する。結果として、太陽を起因とする粒子に対する合力が、運動を止め得る特定の段階等で方向を変え得るため、太陽から離れ始めもする。
【０１２９】
宇宙における微量放射線 
【０１３０】
宇宙空間において発見される微量放射線は、赤方偏移を受ける銀河から極めて遠く離れたところで生じる自由Ｙｅｈｏである。この急速な偏移は、おそらくＹｅｈｏのなかに入っているＶａの濃度に近いＹｅｈｏの通過により生じた周波数の変化の蓄積の結果と考えられる。
【０１３１】
異なる物質を特徴付ける定数間の関係
【０１３２】
全ての物質は、原子質量、密度、熱膨張係数、比熱容量、弾力性係数他のような物理定数の数値によって特徴付けられる。知る限りでは、これらの定数間に関連性／関係性はみられなかった。実体ＹｅｈｏおよびＶａの間の力の影響下で生じる均衡状態に関係する数式を解くことで、これらの定数間の決定的な数学的関係が示される。
【０１３３】
Ｙｅｈｏの放出
【０１３４】
Ｙｅｈｏに包まれたＶａから構成される２種類の高速電子と、おそらく他の基本粒子も、互いに通過するときにＹｅｈｏの一部を放出し得る。
【０１３５】
電子の包囲
【０１３６】
１個の電子が１つまたは複数の亀裂（例えば結晶）を通り抜けるには、回折を伴う。このような回折は、電子のＶａが入っているＹｅｈｏと亀裂周囲の物質Ｖａが入っているＹｅｈｏの間の相互作用の結果である（結晶を通過する場合、結晶の原子であるＶａを入れたＹｅｈｏとの相互作用）。
【０１３７】
電子自体による干渉
【０１３８】
超高速電子が２つの亀裂Ｓ１およびＳ２（図７）のある障壁に衝突すると、障壁の反対面に干渉パターンが生じる。障壁に吸収された電子はＹｅｈｏを生じる亀裂からＹｅｈｏを放出し、様々な亀裂を通過させ、互いに干渉させる。このような干渉パターンは、２つの亀裂が２つの異なる障壁上にある場合は消失する（図７）。
【０１３９】
基本粒子および宇宙のフラクタル構造
【０１４０】
前述の通り、すべての物質実体は、Ｙｅｈｏのなかに入っているＶａから構成される。
【０１４１】
Ｖａのなかへ侵入しようとした場合に、内部構造自体がフラクタルとして知られるパターンを繰り返すことは不可能ではない。「宇宙」自体がフラクタルなパターンを繰り返す等、フラクタル構造が宇宙にもみられることもあり得ないことではない。
【０１４２】
天空環境という用語と最新科学という用語の間の関係 
【０１４３】
本明細書で提示したモデルが、実際に物質および宇宙の構造と関連のある現在の理論と置き換えられる場合。以下の関連性／関係性がみられると仮定するのが妥当である。
【０１４４】
Ｖａは広義では質量であるが、質量は単独で成り立つものであり、Ｙｅｈｏに包まれないＶａは実質的には存在しない。本当にそうならば、２つのＶａ間の引力を計算する式中の距離の指数は約２であり、重力に関する式の指数とほぼ同じであると仮定するのが妥当である。
【０１４５】
この仮定は、天空環境においてよくみられる別の２つの力を計算する式中の距離の指数の値にも影響を及ぼす。２つのＹｅｈｏ間に作用する斥力を計算する式中の距離の指数は、最初に得られた近似の結果では１であり、ＹｅｈｏとＶａの間に働く引力を計算する式中の距離の指数は、最初に得られた近似の結果では３であると考えられる。
【０１４６】
【数１８】
2009519434.tif 000022
【０１４７】
Ｙｅｈｏは電磁波である。
【０１４８】
ＹｅｈｏとＶａの間の相互作用は、放射線、物質、放射線と物質の双対性、および核工程におけるエネルギーの大放出の可能性も説明し得る。
【０１４９】
Ｖａを取り囲むＹｅｈｏが定常波であり、物質またはＶａの中心部に近づくにつれて周波数が増加し、「密度」が増加すると仮定すると、様々な放射物質から放出される電磁スペクトルが説明され、Ｙｅｈｏ（定常波）に関するスピンの選択肢によって電力および磁力が説明され得る。
【０１５０】
理論の要約
【０１５１】
上述の画期的な理論では、われわれの世界はＹｅｈｏおよびＶａと呼ばれる２つの実体で構成されると仮定している。
【０１５２】
この２つの実体の間に働く３種類の力は以下の通りである。
２つのＹｅｈｏ間に働く相互斥力（Ｆｙｙ）。
２つのＶａ間に働く相互引力（Ｆｖｖ）。
ＹｅｈｏとＶａの間に働く相互引力（Ｆｙｖ）。
【０１５３】
これら３種類の力の距離への依存性（少なくとも最初に得られた近似のとき）。
【０１５４】
【数１９】
2009519434.tif 000023
【０１５５】
これらの実体およびこれらの間の相互作用が比較的容易な方法で現在知られている現象のほとんどについて、亜原子レベルから始めて宇宙レベルまで説明し得る。
【０１５６】
最初の段落ですでに述べた通り、本命最初で提示した理論は第１層のみであり、実験値および詳細な数学的分析に基づくさらなる研究が必要とされる。したがって、本理論が認められた場合、もしくは認められた際には、補正点、改善点、および追加点が含まれる。もちろん、完全かつ正確な公式化には、科学者の知力および数学的能力が必要とされる。
【０１５７】
いずれ１つまたは複数の実体を追加する必要があると考えられる新しい現象が本明細書で提示した実体とも相互作用すること、そしてこれらの相互作用の距離への依存性が、本明細書に記載した相互作用を特徴付ける指数とは異なる指数であることはあり得ないことではない（指数０は、力が距離から独立していることを示す）。
【０１５８】
核融合工程においては、莫大な量のエネルギーが放出されるが、この工程を実行するのに必要なエネルギーも非常に大きい。
【０１５９】
工程の実行に関する２つの主な方法は、現在周知である。
（ａ）超高温まで加熱し、融合する核間の衝突を十分強力にする。計算によれば、必要とされる温度および圧は、太陽にみられる温度および圧と同程度であり、このような工程は実際に太陽に生じている。
（ｂ）これらの温度および圧は、水素爆弾を起爆させる原子爆弾の爆発においても達成され得る。しかし、本工程は寿命が短く、エネルギーの大放出は制御された方法で制御および／または利用することはできない。
【０１６０】
核に必要なエネルギーを提供する加速器を使用する。しかし、加速器が生成するエネルギー収支により、本工程は経済的に実行不可能である。
【０１６１】
上述の通り、核融合を緩徐かつ制御された工程において実行することは、現在知られている方法では不可能かつ経済的に実行不可能である。
【０１６２】
融合工程の実施例
【０１６３】
2009519434.tif 000024
2009519434.tif 000025
2009519434.tif 000026
【０１６４】
【数２０】
2009519434.tif 000027
【０１６５】
2009519434.tif 000028
2009519434.tif 000029
2009519434.tif 000030
【０１６６】
【数２１】
2009519434.tif 000031
【発明の開示】
【０１６７】
本発明は、常温核融合のシステムおよび方法を対象とする。これは発明者Ｒａｐｈａｅｌ  Ａｄｌｅｒによる新しい科学理論、すなわち発明者が出版した非特許文献１（Ｊｅｗｉｓｈ  Ｎａｔｉｏｎａｌ  Ｌｉｂｒａｒｙ，Ｈｅｂｒｅｗ  Ｕｎｉｖｅｒｓｉｔｙ  ｏｆ  Ｊｅｒｕｓａｌｅｍ，Ｉｓｒａｅｌより入手可能）に基づく。しかし、本発明の工程およびシステムは、上で説明した新理論の正確性にこだわらず、その有用性、新規性、および発明能力の面で判断されるべきと主張される。
【非特許文献１】Ｓｈａｔｔｅｒｉｎｇ  ｔｈｅ  Ｂｉｇ  Ｂａｎｇ
【０１６８】
第１の態様では、本発明は、
（ａ）冷却された高速核子を得るステップと、
（ｂ）前述の核子を標的に衝突させるステップと、
（ｃ）それによって放出されたエネルギーを採取するステップとを含む、融合チャンバーにおいて核融合を生じるための方法を提供することである。
【０１６９】
一部の実施形態では、高速核子は、
（ｉ）高速核子を冷却し、（ｉｉ）上述の高速核子を加速手段を用いて衝撃チャンバーに向って加速させることによって得られる。
【０１７０】
別の実施形態では、冷却された高速核子は、（ｉ）核子の供給源を冷却し、（ｉｉ）加速手段を用いて核子を衝撃チャンバーに向って加速させることによって得られる。
【０１７１】
一部の実施形態では、冷却された高速核子は、高速核子を形成し、次に形成された高速核子を冷却することによって得られる。
【０１７２】
任意選択的に、標的を冷却する。
【０１７３】
任意選択的に、冷却とは０Ｋ近くの温度まで冷却することである。
【０１７４】
代替として、冷却とは４Ｋ未満の温度まで冷却することである。
【０１７５】
代替として、冷却とは４０Ｋ未満の温度まで冷却することである。
【０１７６】
代替として、冷却とは１００Ｋ未満の温度まで冷却することである。
【０１７７】
代替として、冷却とは２７３Ｋ未満の温度まで冷却することである。
【０１７８】
様々な実施形態において、供給源は固体、液体、気体、プラズマ、イオン、同位体、および放射性物質などから選択され得る。
【０１７９】
様々な実施形態において、荷電粒子は陰イオン、陽イオン、アルファ粒子、ベータ粒子、放射性種などから選択される。
【０１８０】
様々な実施形態において、加速手段は電磁場を備え得る。
【０１８１】
一部の実施形態では、加速手段は粒子を加速して加速度ゼロにすることもある。
【０１８２】
標的は、加速された核子、イオン、同位体、気体、プラズマ、固体、および液体から選択され得る。
【０１８３】
任意選択的かつ好ましくは、熱交換器を用いての採取である。
【０１８４】
任意選択的に、衝撃チャンバーは低真空チャンバーである。代替として、衝撃チャンバーは高真空チャンバーである。さらに代替として、衝撃チャンバーは様々な真空状態の真空チャンバーである。
【０１８５】
様々な実施形態において、放出されたエネルギーが、
（ｉ）核子の生成速度、
（ｉｉ）電磁加速手段による核子の加速、
（ｉｉｉ）加工温度、
（ｉｖ）吸収、
（ｖ）温度、および
（ｖｉ）入手可能な標的数の１つ以上を制御することによって扱われる。
【０１８６】
任意選択的に、衝撃粒子は異なるスピンを有する。
【０１８７】
好ましくは、非衝撃粒子を融合チャンバーに向け直し、それによって再利用し得る。
【０１８８】
一部の実施形態では、衝撃の確率は電場、磁場、および電磁場などから選択される場によって増加する。
【発明を実施するための最良の形態】
【０１８９】
核融合工程においては、莫大な量のエネルギーが放出されるが、この工程を実行するのに必要なエネルギーも非常に大きい。工程の実行に関する２つの主な方法は、現在周知である。
（ａ）超高温まで加熱し、融合する核間の衝突を十分強力にする。計算によれば、必要とされる温度および圧は、太陽にみられる温度および圧と同程度であり、このような工程は実際に太陽に生じている。
【０１９０】
これらの温度および圧は、水素爆弾を起爆させる原子爆弾の爆発においても達成され得る。 しかし、本工程は寿命が短く、エネルギーの大放出は制御された方法で制御および／または利用することはできない。
【０１９１】
核に必要なエネルギーを提供する加速器を使用する。しかし、加速器が生成するエネルギー収支により、本工程は経済的に実行不可能である。
【０１９２】
ここで図８を参照しながら、新規の常温核融合システムを示す。本システムには、
融合工程が実行される第１容器Ａ。本容器の圧は低く、好ましくは真空または真空に近い状態である
容器Ａと、生成された熱を設備の外から採取する管システムの間で熱転換炉の役割を果たす第２容器Ｂ。
開口部が向かい合い、容器Ａに入る２本の管ＣおよびＤ。
【０１９３】
本明細書における４番目の粒子、すなわち高速／加速された核／物質の粒子は、これらの管に沿って移動する。容器Ａに入ると、粒子は互いに衝突する。粒子の動きの方向は、粒子に力をかける磁場、電場等のような場によって制御される。
【０１９４】
効率を高めるため、融合を受けなかったこれらの粒子を管Ｃおよび管Ｄに向け直し、本工程を繰り返し実行することが好ましい。
【０１９５】
新規の常温融合工程も提案されている。
ステップ（ｉ）：ここで４番目の光線、すなわち粒子の１つの光線／複数の光線（必ずしも同じ元素ではない）は、管Ｃおよび管Ｄを通って容器Ａに入る（図８）。管および容器Ａの内圧は低く、好ましい条件下では、真空または真空に近い状態が必要とされる。
ステップ（ｉｉ）：押し出される光線または粒子の供給源を低温まで冷却する。好ましくは、絶対零度（‐２７３Ｃ）またはその近く。光源の役割を果たす物質は、好ましくはイオン化工程を受けた物質、または放射性物質あるいは陽子の数が電子の数と異なる原子のなかの物質のように、自ら粒子を放出する物質である。
【０１９６】
工程を促進するため、光線の加速が必要となる可能性はある。
【０１９７】
光源が低温の物質であるとき、光線が備えるべきエネルギーは、光源が高温であるときに備えるべきエネルギーよりも著明に低い。
【０１９８】
好ましい条件下で効率を高めるため、融合を受けなかったこれらの粒子を管Ｃおよび管Ｄに向け直し、本工程を繰り返し実行してもよい。
【０１９９】
ステップ（ｉｉｉ）：容器Ａにおける融合工程時に放出されたエネルギーを抽出して容器Ｂへ入れ、そこからエネルギーを利用するためのシステム上に入れる。例えば、タービンが接続されるシステム、すなわち発電設備である。好ましい条件下では、熱転換炉は、熱伝導性流体を含む管システムからなる。
【０２００】
光線のなかの物質量、光線における粒子速度、および工程が生じる温度を制御することにより、工程の実行を制御できるようになり、エネルギー放出のペースも制御し得る。
【０２０１】
本発明の方法およびシステムには、以下の利点があると考えられる。
核融合工程のペースを制御できる。
本工程において融合を実行するのに必要とされるエネルギーは、現在周知の方法で必要とされるエネルギーよりも著明に低いため、本工程の経済的価値が高まる。
【０２０２】
本発明が、本明細書で特に示し、上述したことを制限するものではないことを当業者は理解すると考えられる。むしろ、本発明の適用範囲は付属の請求項によって既定され、上述の様々な特性の組み合わせおよびサブコンビネーションの両方と、その変形形態および変更形態を含むものであり、前述の記載を読み次第、当業者は見当をつける。
【０２０３】
請求項において、「含む」およびその変形形態「備える」「有する」等は、記載した構成成分を含むが、一般的に他の構成成分を除外しないことを示す。
【図面の簡単な説明】
【０２０４】
本発明をより理解するため、そしていかにして効果を発揮するか示すため、純粋に実施例を用いて添付図を参照する。
【０２０５】
ここでは図を詳細に参照しながら、実施例を用いて本発明の好適な実施例を例示するためにのみ示された詳細については、本発明の原理および概念上の態様の説明についてもっとも有用かつ速やかに理解できるものを提供するために提示すると強調されている。この点で、本発明の構造的詳細について、本発明の基本的理解に必要とされる以上に具体的に示そうとはしていない。説明および図によって、本発明のいくつかの形態が実際にどのように実施され得るか当業者にとって明白になる。添付図において、
【図１】粒子の中心部にあるＶａと、それを取り囲むＹｅｈｏの配置図。
【図２】引力が斥力より強く、近づくＹｅｈｏが被覆内のＹｅｈｏに混じる段階の略図。
【図３】近づくすべてのＹｅｈｏに作用する斥力が引力に打ち勝ち、その吸収を防ぐ段階の略図。
【図４】分離ｒの関数としての各力および合力のグラフΣＦ（図のグラフでは、ｎ１＝１、ｎ２＝２、ｎ３＝３と仮定）。
【図５】本発明を実施するために使用され得る衝撃チャンバーの略図。
【図６】Ｙｅｈｏケーシングに包まれた２つ以上のＶａが結合する際に、いかにして分子が生成され、１個の合体ケーシングが形成されるか示す。
【図７】２つの亀裂が２つの異なる障壁上にある場合、どのように干渉パターンが消失するか示す。
【図８】融合装置の概念上の構成図
【図１】
2009519434.tif 000032
【図２】
2009519434.tif 000033
【図３】
2009519434.tif 000034
【図４】
2009519434.tif 000035
【図５】
2009519434.tif 000036
【図６】
2009519434.tif 000037
【図７】
2009519434.tif 000038
【図８】
2009519434.tif 000039